(57)【要約】【課題】  自然の股関節臼に残っている軟骨組織の僅かな荷重で関節臼移植組織への軟骨組織の速やかな癒着を可能にする新しい関節臼移植組織を提供する。【解決手段】  人工股関節臼を形成する移植組織は、自然の股関節臼に残る軟骨組織に当接するために設けられている凸な外面（１）を持っている。本発明により、外面（１）が軟骨組織を受入れる少なくとも１つの凹所（４〜６）又は／及び軟骨組織へ押し入る少なくとも１つの突起を持っている。凹所（４〜６）又は／及び突起に隣接する外面（１）の残りの部分（９〜１５）は研摩されている。【選択図】図２
2007185507.tif 000002
【特許請求の範囲】
【請求項１】
人工股関節臼を形成する移植組織であって、自然の股関節臼に残る軟骨組織に当接するために設けられている凸な外面（１）を有するものにおいて、外面（１）が軟骨組織を受入れる少なくとも１つの凹所（４〜６；１６，１７；１９）又は／及び軟骨組織へ押し入る少なくとも１つの突起（１８）を持っていることを特徴とする、移植組織。
【請求項２】
凹所（４〜６；１６，１７；１９）又は／及び突起に隣接する外面（１）の残りの部分（９〜１５）が平滑にされていることを特徴とする、請求項１に記載の移植組織。
【請求項３】
外面（１）の平滑にされた部分（９〜１５）は、凹所（４〜６；１６，１７；１９）又は／及び突起が占める外面（１）の部分より大きいことを特徴とする、請求項２に記載の移植組織。
【請求項４】
凹所が縦長になるべく条溝（４〜６；１６，１７）として形成され、突起が縦長になるべくひれ（１８）として形成されていることを特徴とする、請求項１〜３の１つに記載の移植組織。
【請求項５】
凹所（４〜６；１６，１７；１９）が中断されるか又は閉じた環を形成していることを特徴とする、請求項１〜４の１つに記載の移植組織。
【請求項６】
環が外面（１，１ａ）の縁（３，３ａ）に対して平行に延びていることを特徴とする、請求項５に記載の移植組織。
【請求項７】
突起（１８）が、移植組織の回転対称軸線（２１）に対して直角に投影して、回転対称軸線（２１）に対して半径方向に延びていることを特徴とする、請求項１〜６の１つに記載の移植組織。
【請求項８】
突起（１８）が、連続して又は少なくとも１回中断して、外面（１ｂ）の縁（３ｂ）にある１点から、外面（１ｂ）の縁（３ｂ）の直径上で対向する点まで延びていることを特徴とする、請求項７に記載の移植組織。
【請求項９】
外面（１）に交差する条溝（４；５，６）又は／及びひれが形成されていることを特徴とする、請求項１〜８の１つに記載の移植組織。
【請求項１０】
外面（１ｄ）が、なるべく外面（１ｄ）の全体に凹凸（２０）を持っていることを特徴とする、請求項１〜９の１つに記載の移植組織。
【発明の詳細な説明】
【技術分野】
【０００１】  本発明は、人工股関節臼を形成する移植組織であって、自然の股関節臼に残る軟骨組織に当接するために設けられている凸な外面を有するものに関する。
【背景技術】
【０００２】  残っている軟骨被膜層を持つ自然の股関節臼に使用するために意図されている関節臼移植組織は、ドイツ連邦共和国特許出願第１０３３８４２０．０号から由来している。大腿骨頭部のみが痛められて、関節臼移植組織の内面に当接する義肢に全部又は一部代えねばならない時に、このような関節臼移植組織が使用される。公知の関節臼移植組織の外面は平滑にされているので、移植組織は軟骨組織に滑り運動可能に当接している。関節臼移植組織の縁にあるフランジは、大きすぎるねじれを防止し、従って股関節臼から関節臼移植組織が出るのを防止する。
【発明の開示】
【発明が解決しようとする課題】
【０００３】  本発明の基礎になっている課題は、自然の股関節臼に残っている軟骨組織の僅かな荷重で関節臼移植組織への軟骨組織の速やかな癒着を可能にする、最初に述べた種類の新しい関節臼移植組織を提供することである。
【課題を解決するための手段】
【０００４】  本発明によりこの課題を解決する移植組織は、外面が軟骨組織を受入れる少なくとも１つの凹所又は／及び軟骨組織へ押し入る少なくとも１つの突起を持っていることを特徴としている。【０００５】  凹所又は突起に隣接する外面の残りの部分は平滑にされ、従って軟骨組織に滑り運動可能に当接できるが、凹所又は突起は、自然の股関節臼内に関節臼移植組織をある程度拘束する。移植組織が自然の股関節臼内に有利に保持され、軟骨組織が速やかに癒着する。【０００６】  本発明の好ましい実施形態では、外面の平滑にされた部分は、凹所又は／及び突起が占める外面の部分より大きい。軟骨組織の特別な荷重は凹所又は突起の範囲に限定される。【０００７】  凹所は円形又は異なるように区画されている。凹所は縦長で条溝であるのがよい。突起は例えば丸い節である。しかし突起は縦長で、特にひれとして形成されているのがよい。【０００８】  凹所が中断されるか又は閉じた環を形成し、この環が外面の縁に対して平行に延びていると有利である。このような環は、股関節臼内で関節臼移植組織が２つの回転方向にねじれるのを阻止することができる。【０００９】  突起が、移植組織の回転対称軸線に対して直角に投影して、回転対称軸線に対して半径方向に延びているのがよい。複数のこのようなひれ状突起を持つ移植組織は、回転対称軸線の方向に自然の関節臼の中へ容易に押し込まれる。異なる方向に延びる突起は、関節臼への押し込みを妨げるであろう。【００１０】  突起が、連続して又は少なくとも１回中断して、外面の縁にある１点から、外面の縁の直径上で対向する点まで延びているようにすることができる。【００１１】  外面に交差する条溝又は／及びひれが形成されているようにすることができる。【００１２】  外面に凹所も突起も設けることが考えられる。【００１３】  本発明の別の実施形態では、外面が、なるべく外面の全体に凹凸を持っており、これらの凹凸は刻み目のように形成することができる。人工の関節臼内で関節臼組織のねじれが防止され、従って軟骨組織を摩耗させないように、凹凸が強力であるのがよい。【００１４】  実施例及びこれらの実施例を示す図面により、本発明を以下に説明する。
【発明を実施するための最良の形態】
【００１５】  殻状の関節臼移植組織は、凸な外面１と凹な内面２を持っている。両方の面は球面の一部を形成している。【００１６】  外面１は、股関節臼の維持されている軟骨組織へ当接するように考慮されている。内面２上で、自然の大腿骨頭部の全部又は一部に代わる大腿骨義肢（図示せず）の凸な球面が滑る。関節臼移植組織の深さは、その縁３が自然の股関節臼の縁とほぼ同一面で終わるように、設定されている。【００１７】  図１及び２からわかるように、外面１に条溝４〜６の形の凹所が形成され、そのうち条溝４が閉じた条溝環として、縁３に対して平行に延びている。互いに平行な条溝５及び６は、条溝４と直角に交差し、その両端はそれぞれ１つの縁開口７及び８を形成しながら縁３の所まで達している。【００１８】  条溝４〜６に隣接する球欠範囲９〜１５は、実施例では研摩され、即ち条溝の面範囲外にある外面１の部分は平滑にされている。【００１９】  図１及び２に示す関節臼義肢の移植組織によれば、外面１の研摩された部分は、自然の股関節臼にある軟骨組織上で滑ることができ、即ち軟骨組織面の大部分はせん断荷重により損なわれていない。条溝の範囲においてのみこのようなせん断荷重を受け、軟骨組織が条溝へ押し込まれ、関節臼義肢が条溝内で回転を有利に防止され、自然の関節臼から出るのを防止される。【００２０】  次の実施例では、図１及び２と同じか又は同じ作用する部分は同じ数字符号を付けられ、該当する数字符号に文字ａ，ｂ等を添えられている。【００２１】  図３に示す外面１ａ、内面２ａ及び縁３ａを有する関節臼移植組織は、互いにかつ関節臼移植組織の縁３ａに対してそれぞれ平行に延びる閉じた環状条溝１６及び１７の形の２つの凹所を持っている。【００２２】  前述した関節臼義肢の条溝９〜１５の断面はほぼ長方形であるが、条溝１６及び１７は三角形断面を持っている。【００２３】  条溝１６及び１７へ押し入る軟骨組織は、前述した実施例では、自然の関節臼内における関節臼移植組織のねじれを防止し、関節臼移植組織が関節臼内に留まるのを確実にしている。条溝１６及び１７に隣接する外面１ａの球面範囲は、先の実施例におけるように研摩されている。【００２４】  図４及び５の実施例では、関節臼移植組織の外面１ｂに、凹所の代わりに、ひれ１８の形の全部で８つの突起が形成され、図５に示す平面図において、殻状関節臼移植組織の回転対称軸線２１から半径方向にその縁３ｂまで延びている。ひれ１８の一端はそれぞれ縁３ｂの所まで達しているが、他端はそれぞれ外面１ｂの極点から離れている。【００２５】  図４及び５に示す移植組織を自然の股関節臼へ差込むと、ひれ１８が股関節臼に残っている軟骨組織へ押し入る。ひれ１８の半径方向位置は、回転対称軸線２１の方向へ関節臼移植組織を差込むのを妨げない。軟骨組織へ押し入ったひれ１８は、軸線の周りのねじれも、股関節臼から移植組織を出すことになる外面１ｂの球中心の周りのねじれも防止する。【００２６】  図６に示す縁３ｃを持つ関節臼移植組織は、その外面１ｃに、ゴルフボールの表面構造に相当する凹所１９を持っている。凹所の代わりに、節状の突起を形成することもできるであろう。凹所１９を包囲する外面１ｃの残りの部分は、研摩されている。【００２７】  図７に示す外面１ｄ及び縁３ｄを有する関節臼移植組織は、例えば蜜に隣接する条溝の網により刻み目を入れられた面のように形成される凹凸２０を全面に持っている。【００２８】  関節臼移植組織の外面に凹所も突起も形成できることは明らかである。【００２９】  別の実施例は、外面の極点のみに節を持ち、これらの節は自然の股関節臼の軟骨組織へ押し入るが、図４及び５の実施例におけるひれ１８のように、軟骨組織層を貫通しない。
【図面の簡単な説明】
【００３０】
【図１】  本発明による関節臼移植組織を側面図で示す。
【図２】  図１の関節臼移植組織を平面図で示す。
【図３】  本発明による関節臼の別の実施例を側面図で示す。
【図４】  本発明による関節臼の第３実施例を側面図で示す。
【図５】  第３実施例を平面図で示す。
【図６】  本発明による関節臼の別の実施例を側面からの部分図で示す。
【図７】  本発明による関節臼の別の実施例を側面からの部分図で示す。
【符号の説明】
【００３１】  １                        外面
４〜６，１６，１７，１９  凹所
１８                      ひれ
【図１】
2007185507.tif 000003
【図２】
2007185507.tif 000004
【図３】
2007185507.tif 000005
【図４】
2007185507.tif 000006
【図５】
2007185507.tif 000007
【図６】
2007185507.tif 000008
【図７】
2007185507.tif 000009